(57)【要約】【課題】便座の暖房を温水で行えるようにする場合に、温水の生成に要するエネルギを低減できるようにしながら、局部の洗浄時には清潔な洗浄水を加温して供給できるようにする。【解決手段】加温部２３は、温水循環回路２０を循環する水を加温する温水循環回路用加温通路Ｒ１と、局部洗浄回路３０に供給する水を加温する局部洗浄回路用加温通路Ｒ２とを備えている。温水循環回路用加温通路Ｒ１は温水循環回路２０に接続され、局部洗浄回路用加温通路Ｒ２は局部洗浄回路３０に接続されている。【選択図】図１
2015043849.tif 000002
【特許請求の範囲】
【請求項１】
便座（１０）に形成された温水通路（２１）と、該温水通路（２１）に接続される給湯配管（２２）とを有し、該給湯配管（２２）の中途部に、給水源（２）から供給された水を加温して温水を生成する加温部（２３）と、該加温部（２３）で生成された温水を上記温水通路（２１）に供給するためのポンプ（２４）とが設けられ、上記加温部（２３）で生成された温水を上記ポンプ（２４）により上記温水通路（２１）に供給した後、再び上記給湯配管（２２）に流通させるように構成された温水循環回路（２０）と、
上記便座（１０）の使用者の局部を洗浄するための洗浄ノズル（３３、３４）と、温水を上記洗浄ノズル（３３、３４）に供給するための局部洗浄用温水配管（３１、３２）とを有する局部洗浄回路（３０）とを備えた暖房便座（１）において、
上記加温部（２３）は、上記温水循環回路（２０）を循環する水を加温する温水循環回路用加温通路（Ｒ１）と、上記局部洗浄回路（３０）に供給する水を加温する局部洗浄回路用加温通路（Ｒ２）とを備え、
上記温水循環回路用加温通路（Ｒ１）は上記温水循環回路（２０）に接続され、上記局部洗浄回路用加温通路（Ｒ２）は上記局部洗浄回路（３０）に接続されていることを特徴とする暖房便座（１）。
【請求項２】
請求項１に記載の暖房便座（１）において、
上記局部洗浄回路用加温通路（Ｒ２）が上記温水循環回路用加温通路（Ｒ１）の周囲を囲むように設けられていることを特徴とする暖房便座（１）。
【請求項３】
請求項２に記載の暖房便座（１）において、
上記加温部（２３）は、上記局部洗浄回路用加温通路（Ｒ２）内の水を加温するための局部洗浄回路用ヒーター（６４）と、上記温水循環回路用加温通路（Ｒ１）内の水を加温するための温水循環回路用ヒーター（６５、６６）とを備えており、
上記暖房便座（１）は、上記局部洗浄回路用ヒーター（６４）と上記温水循環回路用ヒーター（６５、６６）とを個別に制御する制御装置（１００）を備えていることを特徴とする暖房便座（１）。
【請求項４】
請求項１または２に記載の暖房便座（１）において、
上記温水循環回路（２０）には、該温水循環回路（２０）内の水を排水するための排水回路（４０）が接続され、
上記温水循環回路（２０）には、該温水循環回路（２０）内の水を排出する排水状態と、温水循環回路（２０）内の水の排出を禁止する非排水状態とに切り替えられる排水切換弁（２５）が設けられ、
上記暖房便座（１）は、上記排水回路（４０）から排出される水と、上記給水源（２）から供給される水とを熱交換させる熱交換器（８０）を備えていることを特徴とする暖房便座（１）。
【発明の詳細な説明】
【技術分野】
【０００１】
本発明は、洋式便器に使用される暖房便座に関するものである。
【背景技術】
【０００２】
従来より、温水で便座を加温するように構成された暖房便座が知られている（例えば、特許文献１、２参照）。特許文献１の暖房便座は、瞬間式温水ヒーターと、便座給湯配管とを備えており、温水ヒーターで生成した温水は、便座給湯配管を通って便座に形成された温水通路に供給され、また、局部を洗浄するためのノズルにも供給される。便座の温水通路を流通した水は、便座に設けられた排水口から便器内に排水されるようになっている。
【０００３】
特許文献２の暖房便座では、温水ヒーターで生成した温水は、便座に形成された温水通路に供給されて温水通路を循環するようになっている。また、温水ヒーターで生成した温水は、局部を洗浄する温水としても利用するようにしている。
【先行技術文献】
【特許文献】
【０００４】
【特許文献１】特開２００１−２１２０３１号公報
【特許文献２】特開２０１３−８５９２２号公報
【発明の概要】
【発明が解決しようとする課題】
【０００５】
特許文献１、２では、温水ヒーターで生成した温水を便座の暖房と、局部を洗浄するための温水として利用することができる。しかしながら、特許文献１では、便座の温水通路を流通した水は便器内に排水されるようになっている。便座の温水通路の流通した水は、常温まで温度低下してしまうことはなく、常温よりも高い温度状態となっているにも関わらず、便器に排水されるので、温水を生成するのに要するエネルギが無駄に消費されることになる。
【０００６】
これに対し、特許文献２では便座の温水通路に温水を循環させているので、特許文献１のものに比べて省エネルギ化を図ることができる反面、長期間の使用によって内部の水が腐敗することが考えられ、このような水が局部の洗浄に使用されると衛生面で問題となることが考えられる。
【０００７】
本発明は、かかる点に鑑みてなされたものであり、その目的とするところは、便座の暖房を温水で行えるようにする場合に、温水の生成に要するエネルギを低減できるようにしながら、局部の洗浄時には清潔な洗浄水を加温して供給できるようにすることにある。
【課題を解決するための手段】
【０００８】
上記目的を達成するために、第１の発明は、
便座（１０）に形成された温水通路（２１）と、該温水通路（２１）に接続される給湯配管（２２）とを有し、該給湯配管（２２）の中途部に、給水源（２）から供給された水を加温して温水を生成する加温部（２３）と、該加温部（２３）で生成された温水を上記温水通路（２１）に供給するためのポンプ（２４）とが設けられ、上記加温部（２３）で生成された温水を上記ポンプ（２４）により上記温水通路（２１）に供給した後、再び上記給湯配管（２２）に流通させるように構成された温水循環回路（２０）と、
上記便座（１０）の使用者の局部を洗浄するための洗浄ノズル（３３、３４）と、温水を上記洗浄ノズル（３３、３４）に供給するための局部洗浄用温水配管（３１、３２）とを有する局部洗浄回路（３０）とを備えた暖房便座（１）において、
上記加温部（２３）は、上記温水循環回路（２０）を循環する水を加温する温水循環回路用加温通路（Ｒ１）と、上記局部洗浄回路（３０）に供給する水を加温する局部洗浄回路用加温通路（Ｒ２）とを備え、
上記温水循環回路用加温通路（Ｒ１）は上記温水循環回路（２０）に接続され、上記局部洗浄回路用加温通路（Ｒ２）は上記局部洗浄回路（３０）に接続されていることを特徴とする。
【０００９】
この構成によれば、温水循環回路を循環する水が加温部の温水循環回路用加温通路で加温され、また、局部洗浄回路に供給する水が加温部の局部洗浄回路用加温通路で加温される。そして、温水循環回路用加温通路で加温された水は温水循環回路を流れ、局部洗浄回路用加温通路で加温された水は局部洗浄回路を流れるので、局部の洗浄時には温水循環回路を循環していない清潔な水を供給することが可能になる。
【００１０】
第２の発明は、第１の発明において、
上記局部洗浄回路用加温通路（Ｒ２）が上記温水循環回路用加温通路（Ｒ１）の周囲を囲むように設けられていることを特徴とする。
【００１１】
この構成によれば、温水循環回路用加温通路を流通する温水の熱が局部洗浄回路用加温通路を流通する水に伝わるので、局部洗浄回路に供給する水を素早く、かつ、効率よく加温することが可能になる。
【００１２】
第３の発明は、第２の発明において、
上記加温部（２３）は、上記局部洗浄回路用加温通路（Ｒ２）内の水を加温するための局部洗浄回路用ヒーター（６４）と、上記温水循環回路用加温通路（Ｒ１）内の水を加温するための温水循環回路用ヒーター（６５、６６）とを備えており、
上記暖房便座（１）は、上記局部洗浄回路用ヒーター（６４）と上記温水循環回路用ヒーター（６５、６６）とを個別に制御する制御装置（１００）を備えていることを特徴とする。
【００１３】
この構成によれば、局部洗浄回路用加温通路内の水と、温水循環回路用加温通路内の水を個別に必要に応じて加温することが可能になる。
【００１４】
第４の発明は、第１または２の発明において、
上記温水循環回路（２０）には、該温水循環回路（２０）内の水を排水するための排水回路（４０）が接続され、
上記温水循環回路（２０）には、該温水循環回路（２０）内の水を排出する排水状態と、温水循環回路（２０）内の水の排出を禁止する非排水状態とに切り替えられる排水切換弁（２５）が設けられ、
上記暖房便座（１）は、上記排水回路（４０）から排出される水と、上記給水源（２）から供給される水とを熱交換させる熱交換器（８０）を備えていることを特徴とする。
【００１５】
この構成によれば、排出される水の温度が給水源の水の温度よりも高い場合に、給水源から温水循環回路に供給される水が、温水循環回路から排出される水によって加温されることになるので、加温に要するエネルギが減少する。
【発明の効果】
【００１６】
第１の発明によれば、温水循環回路により温水を循環させて便座を加温できるので省エネルギ化を図ることができる。そして、温水循環回路を循環する水を加温する温水循環回路用加温通路と、局部洗浄回路に供給する水を加温する局部洗浄回路用加温通路とを備えているので、局部の洗浄時には温水循環回路を循環していない清潔な水を洗浄ノズルに供給することができる。
【００１７】
第２の発明によれば、局部洗浄回路用加温通路が上記温水循環回路用加温通路の周囲を囲むように設けられているので、局部洗浄回路に供給する水を素早く、かつ、効率よく加温できる。
【００１８】
第３の発明によれば、局部洗浄回路用ヒーターと温水循環回路用ヒーターとを個別に制御することができるので、局部洗浄回路用加温通路内の水と、温水循環回路用加温通路内の水を個別に必要に応じて加温することができ、より一層の省エネルギ化を図ることができる。
【００１９】
第４の発明によれば、排水回路から排出される水と、給水源から供給される水とを熱交換させるようにしたので、より一層の省エネルギ化を図ることができる。
【図面の簡単な説明】
【００２０】
【図１】本発明の実施形態１に係る暖房便座の構成図である。
【図２】暖房便座のブロック図である。
【図３】第１バルブの動作説明図である。
【図４】第２バルブの動作説明図である。
【図５】第３バルブの動作説明図である。
【図６】便座暖房モード時の温水の流れを示す図１相当図である。
【図７】ノズル排水モード時の温水の流れを示す図１相当図である。
【図８】第１局部洗浄モード時の温水の流れを示す図１相当図である。
【図９】第２局部洗浄モード時の温水の流れを示す図１相当図である。
【図１０】第１排水モード時の温水の流れを示す図１相当図である。
【図１１】第２排水モード時の温水の流れを示す図１相当図である。
【図１２】加温器の断面図である。
【図１３】実施形態２に係る図１２相当図である。
【図１４】加温器の分解斜視図である。
【図１５】カバー部材から区画部材を抜き出した状態の斜視図である。
【図１６】実施形態２の変形例に係る図１２相当図である。
【図１７】実施形態３に係る図１相当図である。
【発明を実施するための形態】
【００２１】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２２】
（実施形態１）
図１は、本発明の実施形態１に係る暖房便座１の概略構成を示す図である。この暖房便座１は、洋式便器で使用されるものである。暖房便座１は、便座１０と、温水循環回路２０と、局部洗浄回路３０と、第１排水回路４０と、第２排水回路５０と、制御装置１００（図２に示す）とを少なくとも備えている。第１排水回路４０は排水配管４１を備えており、また、第２排水回路５０は排水配管５１を備えている。
【００２３】
便座１０は、図示しない洋式便器に載置されて使用されるものであり、例えば樹脂成形品とすることができる。便座１０の内部には、上記温水循環回路２０の一部を構成する温水通路２１が形成されている。温水通路２１は、例えばガスインジェクション法によって形成してもよいし、パイプ部材を便座１０に埋め込むことによって形成してもよい。また、温水通路２１の断面は上下方向の寸法よりも幅寸法の方が長い形状となっており、温水を便座１０の広い範囲に流すことができるようになっている。尚、温水通路２１は、便座１０の内部を蛇行するように設けてもよい。
【００２４】
温水循環回路２０は、上記温水通路２１の他に、給湯配管２２を有している。給湯配管２２の上流端は、温水通路２１の下流端に接続されている。また、給湯配管２２の下流端は、温水通路２１の上流端に接続されている。これにより、温水通路２１と給湯配管２２とで環状の温水流路が形成される。
【００２５】
給湯配管２２の中途部には、給水源２から供給された水を加温して温水を生成する加温器（加温部）２３と、該加温器２３で生成された温水を温水通路２１に供給するポンプ２４とが設けられている。ポンプ２４は、各種構造のものを用いることができ、加温器２３の下流側に設けられている。
【００２６】
給水源２は、例えば家庭用の水道を使用することができる。加温器２３及びポンプ２４は、制御装置１００により制御される。
【００２７】
給湯配管２２には、該給湯配管２２の上流端と加温器２３との間に第１バルブ２５が設けられている。また、局部洗浄回路３０には、第２バルブ２６が設けられている。さらに、給湯配管２２には、ポンプ２４と該給湯配管２２の下流端、つまり、温水通路２１の上流端との間に第３バルブ２７が設けられている。第１〜第３バルブ２５〜２７は、制御装置１００により制御される。
【００２８】
第１バルブ２５は、電気式アクチュエータによって流路の切り替えを行うように構成された周知の構造のものを用いることができる。図３に示すように、第１バルブ２５は、バルブケーシング２５ａと、バルブケーシング２５ａ内を移動するロッド２５ｂとを有しており、ロッド２５ｂを図３における紙面表裏方向にアクチュエータによって進退移動させて流路を切り替える。具体的には、バルブケーシング２５ａには、給湯配管２２と、給水源２から延びる給水配管２ａと、第１排水回路４０の排水配管４１と、洗浄回路用配管３６とが接続されている。洗浄回路用配管３６は、第１バルブ２５から流出する水を加温器２３を経て第２バルブ２６に供給するためのものである。
【００２９】
ロッド２５ｂの基本形状は中実である。ロッド２５ｂには、第１通路２５ｃと、第２通路２５ｄと、第３通路２５ｅと、第４通路２５ｆとが形成されている。第１通路２５ｃと、第２通路２５ｄとはロッド２５ｂの軸方向に離れている。第１通路２５ｃは、給水配管２ａと、洗浄回路用配管３６とを連通させる通路である。第２通路２５ｄは、第１バルブ２５よりも上流側の給湯配管２２と、第１バルブ２５よりも下流側の給湯配管２２とを連通させる通路である。第３通路２５ｅ及び第４通路２５ｆは、第２通路２５ｄからロッド２５ｂの軸方向に離れ、かつ、互いにロッド２５ｂの軸方向について同じ位置に形成されている。第３通路２５ｅは、給水配管２ａと、第１バルブ２５よりも下流側の給湯配管２２とを連通させる通路である。第４通路２５ｆは、第１バルブ２５よりも上流側の給湯配管２２と、排水配管４１とを連通させる通路である。つまり、第１バルブ２５は、給水源２から供給された水を、第１バルブ２５よりも下流側の給湯配管２２にのみ流すこと、及び洗浄回路用配管３６にのみ流すことができるようになっている。
【００３０】
第２バルブ２６は図４に示すように基本構造は第１バルブ２５と同じようにバルブケーシング２６ａとロッド２６ｂとを備えているが、バルブケーシング２６ａに接続されている配管及びロッド２６ｂに形成されている通路が異なっている。すなわち、バルブケーシング２６ａには、給湯配管２２と、局部洗浄回路３０の第１配管（局部洗浄用温水配管）３１及び第２配管（局部洗浄用温水配管）３２とが接続されている。
【００３１】
ロッド２６ｂには、第１通路２６ｃと、第２通路２６ｄと、第３通路２６ｅとが形成されている。
【００３２】
第１通路２６ｃ、第２通路２６ｄ及び第３通路２６ｅは、互いにロッド２６ｂの軸方向に離れている。第１通路２６ｃは、第２バルブ２６よりも上流側の給湯配管２２と、局部洗浄回路３０の第１配管３１及び第２配管３２とを連通させる通路である。第２通路２６ｄは、第２バルブ２６よりも上流側の給湯配管２２と、局部洗浄回路３０の第１配管３１とを連通させる通路である。第３通路２６ｅは、第２バルブ２６よりも上流側の給湯配管２２と、局部洗浄回路３０の第２配管３２とを連通させる通路である。
【００３３】
第３バルブ２７は図５に示すように基本構造は第１バルブ２５と同じようにバルブケーシング２７ａとロッド２７ｂとを備えているが、バルブケーシング２７ａに接続されている配管及びロッド２７ｂに形成されている通路が異なっている。すなわち、バルブケーシング２７ａには、給湯配管２２と、第２排水回路５０の排水配管５１とが接続されている。さらに、第３バルブ２７には、暖房便座１内の水を第２排水モード（後述する）で排水する際に外部から空気を取り込むための逆止弁２９が設けられている。この逆止弁２９は、給湯配管２２内の水を漏らすことなく、給湯配管２２内には空気を取り込むことができるように構成された周知のものである。第２排水モード以外のモードでは逆止弁２９が給湯配管２２に接続されないようになっている。
【００３４】
ロッド２７ｂには、第１通路２７ｃと、第２通路２７ｄと、第３通路２７ｅとが形成されている。
【００３５】
第１通路２７ｃと、第２通路２７ｄ及び第３通路２７ｅとは、互いにロッド２７ｂの軸方向に離れている。第１通路２７ｃは、第３バルブ２７よりも上流側の給湯配管２２と、第３バルブ２７よりも下流側の給湯配管２２とを連通させる通路である。第２通路２７ｄは、第３バルブ２７よりも上流側の給湯配管２２と、第２排水回路５０の排水配管５１とを連通させる通路である。第３通路２７ｅは、第３バルブ２７よりも下流側の給湯配管２２と、逆止弁２９とを接続する通路である。
【００３６】
図１に示すように、局部洗浄回路３０は、上記第１配管３１及び第２配管３２と、第１配管３１の先端部に設けられた第１洗浄ノズル３３と、第２配管３２の先端部に設けられた第２洗浄ノズル３４とを有している。第１洗浄ノズル３３は、例えばおしりを洗浄するためのノズルであり、第２洗浄ノズル３４は、例えばビデ用のノズルである。
【００３７】
図１２に示すように、加温器２３は、温水循環回路２０を循環する水を加温する温水循環回路用加温通路Ｒ１と、局部洗浄回路３０に供給する水を加温する局部洗浄回路用加温通路Ｒ２とを備えている。温水循環回路用加温通路Ｒ１は温水循環回路２０に接続され、局部洗浄回路用加温通路Ｒ２は局部洗浄回路３０に接続されるようになっている。
【００３８】
加温器２３は、第１〜第３ヒーター６４〜６６と、第１〜第３ヒーター６４〜６６を収容する筒状の容器６０と、容器６０の端部に形成された開口を閉塞する閉塞部材６１と、容器６０の内部に設けられる螺旋状部材６３とを備えている。尚、図１２中、符号６４ａ、６５ａ、６６ａは、それぞれ、第１〜第３ヒーター６４〜６６を制御装置１００に接続するための端子である。第１〜第３ヒーター６４〜６６は制御装置１００により制御され、詳細は後述するが、別々に電力の供給が可能となっている。
【００３９】
容器６０の端壁部には、加温器２３よりも下流側の給湯配管２２が接続される循環回路側流出管６０ａが設けられている。容器６０の周壁部には、加温器２３よりも下流側の洗浄回路用配管３６が接続される洗浄回路側流出管６０ｂが設けられている。
【００４０】
閉塞部材６１と容器６０の間には、シール材Ｓ１が配設されている。閉塞部材６１には、上流側の給湯配管２２が接続される循環回路側流入管６１ａと、上流側の洗浄回路用配管３６が接続される洗浄回路側流入管６１ｂとが設けられている。さらに、閉塞部材６１には、容器６０に挿入される筒部６１ｃが設けられている。筒部６１ｃの内部には、該筒部６１ｃの内部空間を径方向（図１２の上下方向）に２つに区画するための区画壁６１ｄが設けられている。循環回路側流入管６１ａは、筒部６１ｃの内部空間のうち、区画壁６１ｄよりも下側の空間に接続されている。洗浄回路側流出管６０ｂは、筒部６１ｃの内部空間のうち、区画壁６１ｄよりも上側の空間に接続されている。筒部６１ｃの区画壁６１ｄよりも上側の空間は、該筒部６１ｃの外側と容器６０内面との間に形成される空間に連通している。
【００４１】
筒部６１ｃの壁部の上側（図１２における上側）に第１ヒーター６４が埋設され、下側（同図における下側）に第３ヒーター６６が埋設されている。さらに、区画壁６１ｄには、第２ヒーター６５が埋設されている。筒部６１ｃの外側に螺旋状部材６３が嵌合している。この螺旋状部材６３は金属製である。容器６０の循環回路側流出管６０ａの上流端開口の周囲には、シール材Ｓ２が配設されており、循環回路側流出管６０ａと、筒部６１ｃ内の下側の空間とが液密に接続されている。
【００４２】
従って、循環回路側流入管６１ａから容器６０内に流入した水は、筒部６１ｃの区画壁６１ｄよりも下側の空間、即ち、温水循環回路用加温通路Ｒ１に流入し、温水循環回路用加温通路Ｒ１内で第２ヒーター６５及び第３ヒーター６６によって加温される。その後、容器６０の循環回路側流出管６０ａから給湯配管２２に流出することになる。
【００４３】
一方、洗浄回路側流出管６０ｂから容器６０内に流入した水は、筒部６１ｃの区画壁６１ｄよりも上側の空間、即ち、局部洗浄回路用加温通路Ｒ２に流入する。局部洗浄回路用加温通路Ｒ２は、筒部６１ｃの外側と容器６０内面との間に形成される空間も含んでいる。この筒部６１ｃの外側と容器６０内面との間に形成される空間には、金属製の螺旋状部材６３が配設されており、この螺旋状部材６３には第１〜第３ヒーター６４〜６６の熱が伝達するので高温になる。局部洗浄回路用加温通路Ｒ２内の水は、主に第１ヒーター６４によって加温された後、筒部６１ｃの外側と容器６０内面との間に形成される空間に流入する。この空間では水が螺旋状部材６３の螺旋形状に沿うように流れていき、この過程で螺旋状部材６３の熱が水に効率よく伝達して水が加温される。そして、容器６０の洗浄回路側流出管６０ｂから洗浄回路用配管３６に流出することになる。尚、局部洗浄回路用加温通路Ｒ２内の水は、第２ヒーター６５及び第３ヒーター６６がＯＮであれば、これらヒーター６５、６６によっても加温されることになる。
【００４４】
また、この局部洗浄回路用加温通路Ｒ２は、温水循環回路用加温通路Ｒ１の周囲を囲むように設けられているので、局部洗浄回路用加温通路Ｒ２を流れる温水の熱が温水循環回路用加温通路Ｒ１を流れる温水に伝達する。これにより、温水循環回路用加温通路Ｒ１を流れる温水を効率よく加温することが可能になる。
【００４５】
また、図２に示すように、暖房便座１は、第１洗浄スイッチ１０１と、第２洗浄スイッチ１０２と、温度センサ１０３と、人感センサ１０４と、第１排水スイッチ１０５と、第２排水スイッチ１０６とを備えている。第１洗浄スイッチ１０１、第２洗浄スイッチ１０２、温度センサ１０３、第１排水スイッチ１０５、第２排水スイッチ１０６及び人感センサ１０４は制御装置１００に接続されている。
【００４６】
第１洗浄スイッチ１０１は、おしり洗浄用のスイッチである。第２洗浄スイッチ１０２はビデ洗浄用のスイッチである。温度センサ１０３は、加温器２３で加温された温水の温度を検出するためのセンサである。人感センサ１０４は、周知の構造の赤外線センサ等で構成することができ、トイレ室内に使用者がいるか否かを検出するセンサである。この人感センサ１０４は、便座１０に使用者が着座したことを検出する着座センサや、便座１０に人が接近したことを検出するセンサ等であってもよい。第１排水スイッチ１０５は、暖房便座１内の水を第１排水モード（後述する）で排水するためのスイッチである。第２排水スイッチ１０６は、暖房便座１内の水を第２排水モード（後述する）で排水するためのスイッチである。
【００４７】
制御装置１００は、第１洗浄スイッチ１０１、第２洗浄スイッチ１０２、第１排水スイッチ１０５及び第２排水スイッチ１０６の操作状態と、温度センサ１０３及び人感センサ１０４からの出力信号とに基づいて、加温器２３の第１〜第３ヒーター６４〜６６、ポンプ２４及び第１〜第３バルブ２５〜２７を制御し、暖房便座１の運転モードを、図６に示す便座暖房モード、図７に示すノズル排水モード、図８に示す第１局部洗浄モード、図９に示す第２局部洗浄モード、図１０に示す第１排水モード、図１１に示す第２排水モードの中から任意のモードに切り替えることができるように構成されている。尚、図示しないが、電源の入切スイッチも設けられている。
【００４８】
図６に示す便座暖房モードは、人感センサ１０４により使用者が検知されないときに選択される運転モードであり、制御装置１００は、加温器２３の第２ヒーター６５、第３ヒーター６６及びポンプ２４をＯＮにし、第１ヒーター６４はＯＦＦにする。さらに、制御装置１００は、第１バルブ２５を図３（ｂ）の状態にして第１バルブ２５よりも上流側の給湯配管２２と、第１バルブ２５よりも下流側の給湯配管２２とを連通させる。この状態は、温水循環回路２０内の水の排出を禁止する非排水状態である。また、第３バルブ２７を図５（ａ）の状態にして第３バルブ２７よりも上流側の給湯配管２２と、第３バルブ２７よりも下流側の給湯配管２２とを連通させる。第２バルブ２６には水が供給されないので、第２バルブ２６はどの状態であっても構わない。
【００４９】
これにより、加温器２３の第２ヒーター６５及び第３ヒーター６６で加温された温水がポンプ２４によって給湯配管２２から便座１０の温水通路２１に供給されて温水通路２１を流通した後、再び給湯配管２２に戻って加温器２３で加温され、ポンプ２４によって給湯配管２２から便座１０の温水通路２１に供給される。つまり、一度暖めた温水を循環させて便座１０を暖房できるので、省エネルギ化を図ることが可能になる。温水の温度調節は、温度センサ１０３の検出結果に基づいて制御装置１００が加温器２３の第２ヒーター６５及び第３ヒーター６６の能力を制御することによって行う。このとき、第２ヒーター６５及び第３ヒーター６６の一方をＯＦＦにしてもよい。
【００５０】
図７に示すノズル排水モードは、人感センサ１０４により使用者が検知された場合に選択されるモードであり、制御装置１００は、加温器２３の第１〜第３ヒーター６４〜６６及びポンプ２４をＯＮにし、次のように第１、第２バルブ２５、２６を切り替える。すなわち、制御装置１００は、第１バルブ２５を図３（ａ）の状態にして給水配管２ａと、洗浄回路用配管３６とを連通させ、また、第２バルブ２６を図４（ａ）の状態にして洗浄回路用配管３６と、局部洗浄回路３０の第１配管３１及び第２配管３２とを連通させる。
【００５１】
給水配管２ａは水道に接続されているので、水道の水圧によって水が給湯配管２２に流入する。給湯配管２２に流入した水は洗浄回路用配管３６に流入した後、加温器２３に流入する。加温器２３の内部では、温水循環回路２０に供給する水を加熱する温水循環回路用加温通路Ｒ１と、局部洗浄回路３０に供給する水を加熱する局部洗浄回路用加温通路Ｒ２とが区画されていて水が行き来できなくなっているので、局部洗浄回路３０に温水循環回路２０の水が供給されることはない。これにより、常に清潔な水を局部洗浄回路３０に供給することが可能になる。
【００５２】
加温器２３で加温された水は、第２バルブ２６を経て、局部洗浄回路３０の第１配管３１及び第２配管３２に供給される。これにより、第１配管３１及び第２配管３２内の古くなった水が流れ出て清潔な水に置き換わるとともに、温水を第１洗浄ノズル３３及び第２洗浄ノズル３４に予め供給しておくことができるので、例えばおしりやビデ洗浄が快適になる。また、第２ヒーター６５や第３ヒーター６６の一方または両方をＯＦＦにしておいてもよい。
【００５３】
ノズル排水モードは、温水を第１洗浄ノズル３３及び第２洗浄ノズル３４に供給することができる程度の短い所定時間だけ行われるモードであり、この所定時間が経過すると、便座暖房モードに切り替えられる。
【００５４】
図８に示す第１局部洗浄モードは、第１洗浄スイッチ１０１が押されたときに選択される運転モードであり、加温器２３の第１ヒーター６４をＯＮにし、ポンプ２４を停止した状態で、次のように第１、第２バルブ２５、２６を切り替える。すなわち、制御装置１００は、第１バルブ２５を図３（ａ）の状態にして給水配管２ａと、洗浄回路用配管３６とを連通させ、また、第２バルブ２６を図４（ｂ）の状態にして洗浄回路用配管３６と、局部洗浄回路３０の第１配管３１とを連通させて第２配管３２には水を流さないようにする。給水配管２ａは水道に接続されているので、水道の水圧によって水が給湯配管２２に流入する。給湯配管２２に流入した水は加温器２３により加温された後、第２バルブ２６を経て、局部洗浄回路３０の第１配管３１に供給される。これにより、第１洗浄ノズル３３から温水が噴出しておしり洗浄が可能になる。水道の水圧を利用しているので、ポンプ２４を作動させずに済み、エネルギ消費が少ない。第１局部洗浄モードでは、第２ヒーター６５や第３ヒーター６６の一方または両方をＯＮにしておいてもよい。
【００５５】
図９に示す第２局部洗浄モードは、第２洗浄スイッチ１０２が押されたときに選択される運転モードであり、加温器２３の第１ヒーター６４をＯＮにし、ポンプ２４を停止した状態で、次のように第１、第２バルブ２５、２６を切り替える。すなわち、制御装置１００は、第１バルブ２５を図３（ａ）の状態にして給水配管２ａと、洗浄回路用配管３６とを連通させ、また、第２バルブ２６を図４（ｃ）の状態にして洗浄回路用配管３６と、局部洗浄回路３０の第２配管３２とを連通させて第１配管３１には水を流さないようにする。給水配管２ａは水道に接続されているので、水道の水圧によって水が給湯配管２２に流入する。給湯配管２２に流入した水は上述したように加温器２３により加温された後、第２バルブ２６を経て、局部洗浄回路３０の第２配管３２に供給される。これにより、第２洗浄ノズル３４から温水が噴出してビデ洗浄が可能になる。水道の水圧を利用しているので、ポンプ２４を作動させずに済み、エネルギ消費が少ない。第２局部洗浄モードでは、第２ヒーター６５や第３ヒーター６６の一方または両方をＯＮにしておいてもよい。
【００５６】
図１０に示す第１排水モードは、制御装置１００が、暖房便座１の電源がＯＮの状態のときに、所定のタイミングで選択するモードである。所定のタイミングとは、例えば、半日毎や１日おきであればよく、温水循環回路２０内の水を清潔に維持できるように第１排水モードを選択して実行する。第１排水モードを実行するタイミングは、使用者が任意に設定できるようにしてもよい。また、第１排水スイッチ１０５が押されたときに第１排水モードが選択されるように構成してよい。
【００５７】
第１排水モードでは、制御装置１００は、加温器２３をＯＦＦにし、ポンプ２４をＯＮにする。さらに、制御装置１００は、第１バルブ２５を図３（ｃ）の状態にして給水配管２ａと、第１バルブ２５よりも下流側の給湯配管２２とを連通させるとともに、給湯配管２２と第１排水回路４０の排水配管４１とを連通させる。この状態は、温水循環回路２０内の水を排出する排水状態である。また、第３バルブ２７を図５（ａ）の状態にして第３バルブ２７よりも上流側の給湯配管２２と、第３バルブ２７よりも下流側の給湯配管２２とを連通させる。
【００５８】
これにより、水道水が水圧によって給湯配管２２から流れ込んできて、ポンプ２４を作動させることによって便座１０の温水通路２１を流れて温水通路２１を流通した後、第１排水回路４０の排水配管４１から排水される。排水配管４１から排水が開始された後、給湯配管２２及び温水通路２１内の古い水が全て排出されるまで第１排水モードを継続する。第１排水モードは予め設定された時間だけ継続すればよい。第１排水モードを終わらせる際には、第１バルブ２５を図３（ｂ）に示す状態にすればよい。
【００５９】
図１１に示す第２排水モードは、温水循環回路２０内の水を清潔に維持できるように所定のタイミングで制御装置１００が選択するモードである。第１排水モードと第２排水モードとはいずれか一方を選択するようにしてもよいし、両方を異なるタイミングで選択するようにしてもよい。第２排水モードを実行するタイミングも、使用者が任意に設定できるようにしてもよい。また、第２排水スイッチ１０６が押されたときに選択されるように構成してよい。
【００６０】
第２排水モードでは、制御装置１００は、加温器２３をＯＦＦにし、ポンプ２４をＯＮにする。さらに、制御装置１００は、第１バルブ２５を図３（ｂ）の状態にして第１バルブ２５よりも上流側の給湯配管２２と第１バルブ２５よりも下流側の給湯配管２２とを連通させ、また、第３バルブ２７を図５（ｂ）の状態にして第３バルブ２７よりも上流側の給湯配管２２と、第２排水回路５０の排水配管５１とを連通させる。この状態で逆止弁２９と、該逆止弁２９の下流側の給湯配管２２とが接続される。
【００６１】
これにより、給湯配管２２及び温水通路２１内の水がポンプ２４によって第２排水回路５０の排水配管５１に流され、排水配管５１から排水される。このときに逆止弁２９から空気が取り込まれるので、排水がスムーズに行われる。排水配管５１から排水が開始された後、給湯配管２２及び温水通路２１内の古い水が全て排出されるまで第２排水モードを継続する。第２排水モードは予め設定された時間だけ継続すればよい。第２排水モードを終わらせる際には、第３バルブ２７を図５（ａ）に示す状態にすればよい。
【００６２】
以上説明したように、この実施形態１に係る暖房便座１によれば、使用者が居ないときには、便座暖房モードで給水源２である水道から供給された水が給湯配管２２の加温器２３により加温されて温水になり、この温水がポンプ２４によって便座１０の温水通路２１に供給される。温水が温水通路２１を流れる間に放熱して便座１０が暖房される。
【００６３】
第１バルブ２５が図３（ｂ）に示すように第１排水回路４０から排水しない非排水状態になっている場合には、温水通路２１を流通した温水が再び給湯配管２２に流入した後、便座１０の温水通路２１に供給されることになる。一度暖めた温水を循環させて便座１０を暖房できるので、省エネルギ化を図ることが可能になる。
【００６４】
温水循環回路２０を循環する温水は、第１バルブ２５を図３（ｃ）に示すように第１排水回路４０から排水可能な状態にすると温水循環回路２０から排水されるとともに、新たな水が上流側から供給される。これにより、温水循環回路２０内の水が清潔に維持される。
【００６５】
また、図８の第１局部洗浄モードや図９の第２局部洗浄モードでは、温水循環回路２０を流通していない温水を、第１洗浄ノズル３３や第２洗浄ノズル３４に供給するので、第１洗浄ノズル３３や第２洗浄ノズル３４から流出する温水が清潔になる。
【００６６】
したがって、温水循環回路２０により温水を循環させて便座１０を加温できるので省エネルギ化を図ることができる。そして、温水循環回路２０を循環する水を加温する温水循環回路用加温通路Ｒ１と、局部洗浄回路３０に供給する水を加温する局部洗浄回路用加温通路Ｒ２とを備えているので、局部の洗浄時には温水循環回路Ｒ１を循環していない清潔な水を洗浄ノズル３３、３４に供給することができる。
【００６７】
また、加温器２３では、局部洗浄回路用加温通路Ｒ２が温水循環回路用加温通路Ｒ１の周囲を囲むように設けられているので、温水循環回路用加温通路Ｒ１を流通する温水の熱が局部洗浄回路用加温通路Ｒ２を流通する水に伝達する。これにより、局部洗浄回路３０に供給する水を素早く、かつ、効率よく加温できる。
【００６８】
また、第１〜第３ヒーター６４〜６６を個別に制御することができるので、温水循環回路用加温通路Ｒ１内の水と局部洗浄回路用加温通路Ｒ２内の水とを個別に必要に応じて加温することができ、より一層の省エネルギ化を図ることができる。
【００６９】
温水循環回路用加温通路Ｒ１と、局部洗浄回路用加温通路Ｒ２は上下方向について逆に配置されていてもよい。
【００７０】
（実施形態２）
図１３及び図１４は、本発明の実施形態２に係る加温器２３の構造を示すものである。実施形態２は、実施形態１のものに対し加温器２３の構造が異なるだけで他の部分は実施形態１と同じであるため、以下、実施形態１と異なる部分について詳細に説明する。
【００７１】
加温器２３は、実施形態１と同様な容器６０及び閉塞部材６１を備えており、容器６０の周壁部には、循環回路側流出管６０ａ及び洗浄回路側流出管６０ｂが設けられている。容器６０と閉塞部材６１との間にはシール材Ｓ３が配設されている。
【００７２】
容器６０の内部には、周知の筒状セラミックヒーター（加温部）（以下、セラミックヒーター７０と表記する）が設けられている。閉塞部材６１とセラミックヒーター７０とは一体に形成されていて、該セラミックヒーター７０の外側には金属製の螺旋状部材７２が嵌合している。さらに、螺旋状部材７２の外側には、アルミニウム合金製のカバー部材７３が設けられており、このカバー部材７３によって螺旋状部材７２が覆われている。カバー部材７３と螺旋状部材７２とは接触して熱伝達が可能になっている。カバー部材７３の端部開口の周縁と閉塞部材６１との間にはシール材Ｓ４が配設されている。
【００７３】
セラミックヒーター７０の内部には、該セラミックヒーター７０の内部空間を上下方向に区画する区画部材７１が配設されている。区画部材７１には、セラミックヒーター７０の端部開口に一致する板部７１ａが形成されている。板部７１ａの周縁部とセラミックヒーター７０の端部開口の周縁との間及び、仕切板部７１ｂの周縁部とセラミックヒーター７０の内周面部との間には、シール材Ｓ５が配設されている。また、板部７１ａとカバー部材７３との間には、シール板材７４が介在している。
【００７４】
さらに、図１４や図１５に示すように、カバー部材７３の外面には、容器６０の内部空間を上下方向に区画する突出板部７３ａが形成されている。この突出板部７３ａは、容器６０の内面に形成された溝部６０ｃに嵌入していて、該溝部６０ｃと突出板部７３ａとの間にはシール材Ｓ４が配設されている。
【００７５】
図１３に示すように、セラミックヒーター７０の内部の区画部材７１の仕切板部７１ｂよりも下側の空間、及び容器６０内における突出板部７３ａよりも下側の空間は、区画部材７１の板部７１ａ、シール板材７４及びカバー部材７３を貫通する貫通孔７８を介して連通している。セラミックヒーター７０の内部の区画部材７１の仕切板部７１ｂよりも下側の空間、及び容器６０内における突出板部７３ａよりも下側の空間は、温水循環回路用加温通路Ｒ１を構成している。
【００７６】
一方、セラミックヒーター７０の内部の区画部材７１の仕切板部７１ｂよりも上側の空間、及び容器６０内における突出板部７３ａよりも上側の空間は、区画部材７１の板部７１ａ、シール板材７４及びカバー部材７３を貫通する貫通孔７９を介して連通している。セラミックヒーター７０の内部の区画部材７１の仕切板部７１ｂよりも上側の空間、及び容器６０内における突出板部７３ａよりも上側の空間は、局部洗浄回路用加温通路Ｒ２を構成している。
【００７７】
従って、循環回路側流入管６１ａから容器６０内に流入した水は、温水循環回路用加温通路Ｒ１に流入し、温水循環回路用加温通路Ｒ１内でセラミックヒーター７０によって加温される。その後、容器６０の循環回路側流出管６０ａから給湯配管２２に流出することになる。
【００７８】
一方、洗浄回路側流出管６０ｂから容器６０内に流入した水は、局部洗浄回路用加温通路Ｒ２に流入する。局部洗浄回路用加温通路Ｒ２内の水は、セラミックヒーター７０によって加温された後、洗浄回路側流出管６０ｂから洗浄回路用配管３６に流出することになる。
【００７９】
この実施形態２のものでも、温水循環回路２０により温水を循環させて便座１０を加温できるので省エネルギ化を図ることができる。そして、温水循環回路２０を循環する水を加温する温水循環回路用加温通路Ｒ１と、局部洗浄回路３０に供給する水を加温する局部洗浄回路用加温通路Ｒ２とを備えているので、局部の洗浄時には温水循環回路Ｒ１を循環していない清潔な水を洗浄ノズル３３、３４に供給することができる。
【００８０】
尚、区画部材７１とカバー部材７３とは一体成形品としてもよい。
【００８１】
図１６は、実施形態２の変形例に係る加温器２３を示すものである。この変形例では、螺旋状部材７２を省略している。これにより、加温器２３を小型にすることができる。
【００８２】
（実施形態３）
図１７は、本発明の実施形態３に係る暖房便座１を示すものである。実施形態３の暖房便座１は、実施形態１のものに対し、熱交換器８０を備えている点で異なっており、他の部分は実施形態１と同じであるため、以下、実施形態１と異なる部分について詳細に説明する。
【００８３】
熱交換器８０は、第１排水回路４０から排出される水と、給水源２から供給される水とを熱交換させるためのものであり、第１排水回路４０から排出される水が流通する排水側チューブ８１と、給水源２から供給される水が流通する給水側チューブ８２とを備えている。排水側チューブ８１と給水側チューブ８２とは外面同士が接触または近接するように配置されており、相互に熱伝達可能に構成されている。
【００８４】
第１バルブ２５は、第１排水モードでは、水道水が給水配管２ａから熱交換器８０の給水側チューブ８２を流通して温水循環回路２０に流入するように、かつ、温水循環回路２０内の水が第１排水回路４０の排水配管４１から熱交換器８０の排水側チューブ８１を流通して排水されるように構成する。このとき排水される水は水道水よりも温度が高くなっているので、熱交換器８０で水道水が加温されることになる。よって、ヒーター２３の消費エネルギが減少する。
【００８５】
したがって、この実施形態３では、実施形態１と同様な作用効果を奏することができる。また、第１排水回路４０から排出される水と、給水源２から供給される水とを熱交換器８０で熱交換させるようにしたので、より一層の省エネルギ化を図ることができる。
【００８６】
尚、上記実施形態１〜３では、ビデ用の第２洗浄ノズル３４を設けているが、これに限らず、第２洗浄ノズル３４を省略してもよい。
【００８７】
また、第１〜第３バルブ２５〜２７の構造は上記した構造に限られるものではなく、上記したように流路を切り替えることができるものであれば、任意の構造のものを用いることができる。
【００８８】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００８９】
以上説明したように、本発明に係る暖房便座は例えば洋式便器に載置して使用することができる。
【符号の説明】
【００９０】
１          暖房便座
１０        便座
２０        温水循環回路
２１        温水通路
２２        給湯配管
２３        加温器
２４        ポンプ
２５        第１バルブ（排水切換弁）
３０        局部洗浄回路
３１        第１配管（局部洗浄用温水配管）
３２        第２配管（局部洗浄用温水配管）
３３        第１洗浄ノズル
３４        第２洗浄ノズル
４０        第１排水回路
６４        第１ヒーター（局部洗浄回路用ヒーター）
６５        第２ヒーター（局部洗浄回路用兼温水循環回路用ヒーター）
６６        第３ヒーター（温水循環回路用ヒーター）
８０        熱交換器
１００      制御装置
Ｒ１        温水循環回路用加温通路
Ｒ２        局部洗浄回路用加温通路
【図１】
2015043849.tif 000003
【図２】
2015043849.tif 000004
【図３】
2015043849.tif 000005
【図４】
2015043849.tif 000006
【図５】
2015043849.tif 000007
【図６】
2015043849.tif 000008
【図７】
2015043849.tif 000009
【図８】
2015043849.tif 000010
【図９】
2015043849.tif 000011
【図１０】
2015043849.tif 000012
【図１１】
2015043849.tif 000013
【図１２】
2015043849.tif 000014
【図１３】
2015043849.tif 000015
【図１４】
2015043849.tif 000016
【図１５】
2015043849.tif 000017
【図１６】
2015043849.tif 000018
【図１７】
2015043849.tif 000019